(57)【要約】【課題】従来の糞便処理方法（事後処理方式）の欠点であり、大半の犬の飼主たちが感じている、糞便をつまみ取ったり、すくい取る時の不快感と、道路等に付着した糞便を拭き取る面倒臭さ等の問題点を解決する為に、犬が糞便をするのと並行して糞便を処理出来る器具を提供する。【解決手段】本体カバー蓋の前方部（２ａ）に把手（１）を取り付け、本体カバー蓋（２ａ、２ｂ）中央のヒンジ部（４ａ）の両側と、後方のヒンジ部（４ｂ）の両側にキズ防止及び移動補助の為のローラー（３）を、そして器具本体（５）の両側面の前後部に車輪（６）を取り付ける。更に、器具本体内に内箱（７）を格納し、本体カバー蓋は携帯時、器具本体の前方部で留め金具（１０ａ、１０ｂ）により、そして器具本体の両側面で支持突起（９ａ、９ｂ）により、本体に固定される特徴を持った、並行処理型の携帯用糞便処理器具。【選択図】　図１
2004135558.tif 000002
【特許請求の範囲】
【請求項１】
本体カバー蓋の前方部（２ａ）に把手（１）を取り付け、本体カバー蓋（２ａ、２ｂ）中央のヒンジ部（４ａ）の両側と、後方のヒンジ部（４ｂ）の両側にキズ防止及び移動補助の為のローラー（３）を、そして器具本体（５）の側面下方前後部の両側に車輪（６）を取り付ける。更に、器具本体内に内箱（７）を格納する。器具本体内の底面に設けられた内箱固定座嵌め穴（１１）に内箱固定座（８）を嵌め入れる事で、内箱は本体に固定される。
携帯時は、器具本体の前方部でマグネット、ボール等を用いた留め金具（１０ａ、１０ｂ）により、そして器具本体の両側面で支持突起（９ａ、９ｂ）により、本体カバー蓋が器具本体にしっかりと固定される特徴を持った携帯型糞便処理器具。
【請求項２】
請求項１に於いて、支柱（１ａ）の上下部分が湾曲した把手（１）を本体カバー蓋の前方部（２ａ）に取り付け、把手を後方に倒す事により、ヒンジ部（４ａ）が屈曲して本体カバー蓋の前方部（２ａ）が開き、更に本体カバー蓋の後方部（２ｂ）を支持突起（９ａ，９ｂ）に沿わせて後方にスライドさせると、それと連動してヒンジ部（４ｂ、４ｃ）が屈曲し、器具本体（５）の側面後部（５ａ）が本体底面まで開く（図２）構造を特徴とする携帯型糞便処理器具。
【発明の詳細な説明】
【０００１】
【発明の属する技術分野】
本発明は、衛生的且つ簡便に、犬の糞便を捕捉し処理する為の、携帯型糞便処理器具に関する。
【０００２】
【従来の技術】
従来の糞便処理方法は、犬が糞便をした後で、ビニール袋等に手を入れて犬の糞便をつまみ取るか、或いはスコップ類ですくい取って袋に入れて処理するのが主流であった。
【０００３】
市販の糞便処理器具に関しても、種類が少ない上、犬が糞便をした後で、その糞便を紙等で覆って挟み取るか、すくい取る方式のものが殆どで、多少の利便性はあるものの、器具に付いた糞便を拭き取ったり、手を使って糞便を処理する、といった問題は依然として残っており、更には携帯性やデザイン面でも、処理器具の域を越えた、犬の飼主たちの購買意欲をそそるような魅力ある器具が無いというのが実情である。
【０００４】
【発明が解決しようとする課題】
従来の糞便の処理に際しては、糞便をつまみ取る時の何とも言えない感触、すくい取る時の不快感、そして道路等に付着した糞便を拭き取る面倒臭さ等の問題点があった。
これらが、犬が排泄した後で糞便を処理する、いわゆる「事後処理方式」の代表的な欠点であり、犬の飼主たちが糞便の後始末をしないで立ち去ってしまう最大の理由にもなっている。それ故に、これらの問題点を解決する事が、糞便処理器具に求められる最大の課題だと言える。
【０００５】
それ故に、従来の「事後処理方式」ではなく、犬が糞便をするのと同時に糞便を処理する、いわゆる「並行処理方式」によって糞便を処理する器具を提供する事で、上記の諸問題点を解決する。
【０００６】
【課題を解決するための手段】
本発明は、迅速な操作性を実現する為に、器具の蓋の開閉方法に独特の工夫を凝らしている。それは、犬が糞便をするのと並行してその糞便を捕捉する為には、如何に素早く簡単に器具をセット出来るかが最大のポイントとなるからである。
【０００７】
具体的には、ヒンジ部（４ａ）で屈曲する本体カバー蓋の前方部（２ａ）に把手（１）を取り付け、把手の支柱（１ａ）の上下部分を湾曲させた形状にする。
本体カバー蓋（２ａ、２ｂ）を二つに屈曲させるのは、把手と支点（ヒンジ部：４ａ）間の距離が短い程、より軽い力と少ない動きで蓋を開ける事が出来るからで、これにより、片手で素早く楽々と、本体カバー蓋を開ける事が可能となる。そして、把手の支柱の上下部分を湾曲させる事で、把手と支点間の距離が更に短くなるので、把手をより一層後方に倒し易くなり、操作性が向上すると共に、器具本体（５）の重心と把手を握る位置が、垂直線上でほぼ重なるので、器具を安定して携行する事が出来るようになる。
【０００８】
本体カバー蓋の前方部が開いたら、支持突起（９ａ、９ｂ）に沿って本体カバー蓋をそのまま後ろにスライドさせると、それに連動してヒンジ部（４ｂ、４ｃ）が屈曲して器具本体の側面後部（５ａ）が器具本体の底面まで開き、犬がしゃがみ込んでも、排泄の邪魔にならない高さになる。
【０００９】
ヒンジ部（４ａ〜４ｃ）は、蝶番とは異なり、金属の芯棒等の軸で連結されていて、それ故に幅広い角度での前後の屈曲が可能で、器具本体の上部及び後部を最大限開放する事が出来るので、器具の後部から犬の排泄の進行状況を明瞭に確認する事が出来る。
【００１０】
また、器具本体には前後に車輪（６）が装備されているので、素早く確実に器具を適所に移動させる事が出来る。そして、移動補助輪の役割を持つローラー（３）により、円滑且つ微妙に器具を移動させる事が可能となり、併せて本体カバー蓋にキズが付くのを防止してくれる。
【００１１】
本体カバー蓋は携帯時、器具本体の前方部でマグネット、ボール等の留め金具（１０ａ、１０ｂ）により、そして器具本体の両側面で支持突起（９ａ、９ｂ）により、本体にしっかりと固定されるので、携帯時に多少揺らしたり、振動させても、誤って本体カバー蓋が開いてしまう事はない。
【００１２】
更に、器具本体には内箱（７）が格納されていて、内箱底面の前後部の両側４ヶ所に設けられた内箱固定座（８）を器具本体内部の内箱固定座嵌め穴（１１）に入れる事で、ずれる事なく器具本体に固定されるので、本体カバー蓋を開口させた後、位置を微調整する為に器具を動かしても、内箱がずれ動く心配がない。
【００１３】
内箱には敷紙を敷いて、糞便を処理する。内箱を設ける事で、本体を清潔に保て、敷紙を使う事で、より簡単で衛生的に糞便の廃棄が行えるようになる。また、内箱だけ取り出して、普段はトイレとしても使用出来るので、大変便利である。
【００１４】
本発明は、上記の操作性や実用性と併せて、特に外観面（デザイン性）にも重点を置いている。
優美なスワン（白鳥）をイメージした個性的なデザインにより、如何にもそれらしい外観故に、犬の飼主たちに敬遠されがちだった従来の糞便処理器具とは一線を画して、誰もが親しみと愛着の持てる、一種ファッション・アイテム的な器具に仕上がっている。
【００１５】
【発明の実施の形態】
本発明は、使用に際して、専用の敷紙又は自作の敷紙を器具本体内の内箱に敷けば、準備は完了する。
敷紙は市販用のものも用意するが、本発明の付属品とする敷紙作成用紙型を用いて、新聞紙を始め、あらゆる紙で簡単に敷紙が作成出来るようになっている。
【００１６】
散歩の途中、犬が糞便を催しかけたら、犬が糞便をするのを一旦制止して、本体カバー蓋を開けて、適所に器具をセットした後、敷紙を敷いた内箱内に、犬の糞便を受け止める。
【００１７】
糞便を全て受け止め終わったら、敷紙の前後から出ている、糞便を覆う為の帯状片を引き出して糞便を覆い、本体カバー蓋を閉めて、そのまま携帯する。
【００１８】
糞便を捨てる時は、敷紙の左右から出ている、敷紙を包み込む為の帯状片を引き出して、糞がこぼれ出ないように何度か巻き込んだ後、内箱から取り出して捨てれば良い。
【００１９】
【発明の効果】
本発明は、犬が糞便をするのと並行して糞便を処理するので、従来の処理方法のように、糞便をつまみ取ったりする時などに不快な思いをしたり、道路等に付いた糞便を拭き取ったりする手間が掛からず、片手で簡便且つ衛生的に糞便を処理する事が出来る。
また、デザイン性にも重点を置いたお洒落な外観にする事により、老若男女を問わず、あらゆる犬の飼主たちの購買意欲を高め、ひいては犬の飼主たちの糞便処理意識を喚起する起爆剤となり得る要素を多分に秘めたものと言える。
【００２０】
また、犬が排便するのを一度制止して、器具をセットした後に糞便をさせるので、　器具の使用に慣れて来ると、“どこででも糞をしてはいけない”という意識と習慣が犬自身にも身に付き、ひいては犬のしつけにも優れた効果を発揮する。
【００２１】
更には、内箱に敷く市販用の敷紙だけでなく、付属の紙型を用いて、新聞紙等で誰でも簡単に内箱に敷く敷紙を作る事が出来るので、器具使用の為の維持費も全く掛からず、何よりも従来のようにビニール袋等は使わないので、環境にやさしく、エコロジー（環境保護）の一助となる特長をも有している。
【００２２】
根強いペット・ブームの陰で、殆どの地域や自治体が犬の糞害に頭を痛めている。
飼主たちのマナーやモラルの低下が根本的な原因ではあるが、糞害を無くす為の試み、特に飼主側の視点に立った、飼主側に受け入れられ易い解決策（手段）が無かった事が、犬の糞害を助長していると言える。
そんな飼主たちが、是非使ってみたいと感じるような器具―ペットの散歩時には必携しなければならないというような強制意識からではなく、携帯して散歩に行きたくなるような魅力ある器具を提供する事で、「愛するペットとの散歩をより楽しく、快いものにして欲しい！！」というのが、本発明の願いである。
【図面の簡単な説明】
【図１】本発明の斜視外観図である。
【図２】本発明の斜視展開図である。
【符号の説明】
１　　　　　　　把手
１ａ　　　　　　把手支柱部
２ａ、２ｂ　　　本体カバー蓋（前方部、後方部）
３　　　　　　　本体カバー蓋キズ防止及び移動補助ローラー
４ａ〜４ｃ　　　ヒンジ部
５　　　　　　　器具本体
５ａ　　　　　　器具本体側面後部
６　　　　　　　車輪
７　　　　　　　内箱（糞便受け）
８　　　　　　　内箱固定座
９ａ、９ｂ　　　本体カバー蓋支持突起
１０ａ、１０ｂ　留め金具
１１　　　　　　内箱固定座嵌め穴
【図１】
2004135558.tif 000003
【図２】
2004135558.tif 000004